(57)【要約】【課題】アンテナの共振周波数を精密に調整することができ、筐体の内側コーナに密着させて貼り付けることができるＲＦＩＤアンテナを提供する。【解決手段】リードライタ用アンテナ１００は、カシメ可能なシート状のシート基板１０と、シート基板１０の表面に形成したアンテナパターン２０と、シート基板１０の裏面に形成したアンテナパターン３０とで構成されている。また、アンテナパターン２０，３０についてそれぞれの幅および長さを異ならせ、シート基板１０の厚さ方向からみてアンテナパターン２０，３０が重なり合うように、アンテナパターン２０，３０を形成した。【選択図】  図２
2005020058.tif 000002
【特許請求の範囲】
【請求項１】
所定の共振周波数を有する非接触通信媒体を検出するために用いられるＲＦＩＤアンテナであって、
シート状のシート基板と、
前記シート基板の一方の面に形成した第１アンテナパターンと、
前記シート基板の他方の面に形成した第２アンテナパターンと、
前記シート基板の厚さ方向からみて前記第１アンテナパターンと前記第２アンテナパターンとが一部重なり合う重複部と、を備え、
前記第１アンテナパターン及び前記第２アンテナパターンについてそれぞれの幅及び長さを異ならせ、
前記第１アンテナパターンと前記第２アンテナパターンとを前記重複部の任意の位置で導通可能に形成したことを特徴とするＲＦＩＤアンテナ。
【請求項２】
請求項１において、
前記シート基板は、可撓性を有し、
前記第１アンテナパターンのうち前記シート基板の撓ませ部分に対応する箇所の幅を他の部分よりも狭くし、前記第２アンテナパターンのうち前記シート基板の撓ませ部分に対応する箇所の幅を他の部分よりも狭くしたことを特徴とするＲＦＩＤアンテナ。
【発明の詳細な説明】
【０００１】
【発明の属する技術分野】
本発明は、所定の共振周波数を有する非接触通信媒体を検出するために用いられるアンテナに係り、特に、アンテナの共振周波数を精密に調整することができ、筐体の内側コーナに密着させて貼り付けることができるＲＦＩＤ（Ｒａｄｉｏ  Ｆｒｅｑｕｅｎｃｙ  ＩＤｅｎｔｉｆｉｃａｔｉｏｎ）アンテナに関する。
【０００２】
【従来の技術】
ＲＦＩＤ非接触型ＩＣタグの情報を書き換えるリードライタ装置は、リードライタ用アンテナを備え、情報の読出を行うときは、リードライタ用アンテナによりＲＦＩＤ非接触型ＩＣタグから情報を読み出す。また、情報の書き換えを行うときは、リードライタ用アンテナによりＲＦＩＤ非接触型ＩＣタグの情報を書き換える。なお、ＲＦＩＤ非接触型ＩＣタグは、コイル、コンデンサ部およびＩＣ回路などを有し、コイルコンデンサ部およびＩＣ回路の内部のコンデンサや抵抗により共振回路を構成している。
【０００３】
従来、リードライタ用アンテナは、ガラエポ等からなるプリント基板と、プリント基板の一方の面に形成した第１アンテナパターンと、第１アンテナパターンが形成されたのと同じ面に形成した第２アンテナパターンとで構成されている。
第１アンテナパターンおよび第２アンテナパターンについては、それぞれの幅および長さが異なっている。また、第１アンテナパターンと第２アンテナパターンには、各々所定間隔をあけて第１アンテナパターンと第２アンテナパターンとが隣接する位置に複数のスルーホールが設けられている。
【０００４】
リードライタ用アンテナの共振周波数を調整する場合は、いずれかのスルーホールを選択し、選択したスルーホールを半田等で充填し、第１アンテナパターンと第２アンテナパターンとを導通させることにより行う。すなわち、第１アンテナパターンおよび第２アンテナパターンの一端をそれぞれアンテナの出力端子とすれば、第１アンテナパターンおよび第２アンテナパターンについてそれぞれの幅および長さが異なっているので、選択したスルーホールによって、第１アンテナパターンの一端から導通スルーホールまで、および導通スルーホールから第２アンテナパターンの一端までの長さが変化するので、アンテナの共振周波数を調整することができる。
【０００５】
なお、従来のリードライタ用アンテナとしては、例えば、特許文献１に開示されているＲＦＩＤアンテナが知られている。
【０００６】
【特許文献１】
特開２００３−１４２９２７号公報
【０００７】
【発明が解決しようとする課題】
しかしながら、上記従来のリードライタ用アンテナにあっては、所定間隔をあけて複数のスルーホールを設け、いずれかのスルーホール間を導通させることによりアンテナの共振周波数を調整するようになっているため、アンテナの共振周波数を精密に調整することが困難であるという問題があった。
【０００８】
また、筐体（例えば、リードライタ装置を収納するための筐体）の内側コーナにリードライタ用アンテナを貼り付けることを考えた場合、筐体が曲部を有していたり、リードライタ用アンテナの一部が筐体の内側コーナーにかかるときなどは、上記従来のリードライタ用アンテナにあっては、硬質のプリント基板で構成されているため、曲部または内側コーナーへ沿うようにリードライタ用アンテナを貼り付けることが困難であった。この場合、例えば、可撓性のある柔らかい材質の基板を用いることが考えられるが、アンテナパターンが硬質なために撓ませづらく、曲部に密着させて貼り付けることが困難であり、また撓ませ方のばらつきにより共振周波数もばらつくという問題があった。
【０００９】
そこで、本発明は、このような従来の技術の有する未解決の課題に着目してなされたものであって、アンテナの共振周波数を精密に調整することができ、筐体の内側コーナに密着させて貼り付けることができるＲＦＩＤアンテナを提供することを目的としている。
【００１０】
【課題を解決するための手段】
〔発明１〕
上記目的を達成するために、発明１のＲＦＩＤアンテナは、
所定の共振周波数を有する非接触通信媒体を検出するために用いられるＲＦＩＤアンテナであって、
シート状のシート基板と、
前記シート基板の一方の面に形成した第１アンテナパターンと、
前記シート基板の他方の面に形成した第２アンテナパターンと、
前記シート基板の厚さ方向からみて前記第１アンテナパターンと前記第２アンテナパターンとが一部重なり合う重複部と、
を備え、
前記第１アンテナパターンおよび前記第２アンテナパターンについてそれぞれの幅および長さを異ならせ、
前記第１アンテナパターンと前記第２アンテナパターンとを前記重複部の任意の位置で導通可能に形成したことを特徴とする。
【００１１】
このような構成であれば、アンテナの共振周波数を調整する場合は、シート基板の厚さ方向からみて第１アンテナパターンと第２アンテナパターンとが重なり合っている部分の任意の箇所をカシメにより導通させることにより行う。すなわち、第１アンテナパターンおよび第２アンテナパターンの一端をそれぞれアンテナの出力端子とすれば、第１アンテナパターンおよび第２アンテナパターンについてそれぞれの幅および長さが異なっているので、カシメ箇所によって、第１アンテナパターンの一端からカシメ箇所まで、およびカシメ箇所から第２アンテナパターンの一端までの長さが変化するので、アンテナの共振周波数を調整することができる。
【００１２】
これにより、第１アンテナパターンと第２アンテナパターンとが重なり合っている部分の任意の箇所をカシメにより導通させてアンテナの共振周波数を調整することができるので、従来に比して、アンテナの共振周波数を比較的精密に調整することができるという効果が得られる。
ここで、非接触通信媒体の検出には、非接触通信媒体の接近を検出するほか、例えば、非接触通信媒体が情報を保持可能なものである場合は、非接触通信媒体の情報を読み出すこと、または非接触通信媒体の情報を書き換えることが含まれる。
〔発明２〕
さらに、発明２のＲＦＩＤアンテナは、発明１のＲＦＩＤアンテナにおいて、
前記シート基板は、可撓性を有し、
前記第１アンテナパターンのうち前記シート基板の撓ませ部分に対応する箇所の幅を他の部分よりも狭くし、前記第２アンテナパターンのうち前記シート基板の撓ませ部分に対応する箇所の幅を他の部分よりも狭くしたことを特徴とする。
【００１３】
このような構成であれば、アンテナを撓ませて筐体の内側コーナに貼り付ける場合は、シート基板が可撓性を有し、かつアンテナパターンのうちシート基板の撓ませ部分に対応する箇所の幅が狭いので、アンテナが撓ませやすい。
これにより、従来に比して、アンテナを筐体の内側コーナに比較的密着させて貼り付けることができるという効果も得られる。筐体の内側コーナに密着させて貼り付けられれば、筐体内部にアンテナを設ける場合に比して、筐体表面からの作動距離を大きくすることができる。
【００１４】
【発明の実施の形態】
以下、本発明の実施の形態を図面を参照しながら説明する。図１ないし図５は、本発明に係るＲＦＩＤアンテナの実施の形態を示す図である。
本実施の形態は、本発明に係るＲＦＩＤアンテナを、図１に示すように、ＲＦＩＤ非接触型ＩＣタグの情報を書き換えるリードライタ装置のアンテナとして適用したものである。
【００１５】
まず、リードライタ用アンテナ１００の構成を図１および図２を参照しながら説明する。
図１は、リードライタ用アンテナ１００の分解斜視図である。
図２は、リードライタ用アンテナ１００を表面からみたときの透視平面図である。
【００１６】
リードライタ用アンテナ１００は、図１および図２に示すように、可撓性を有しかつ任意の位置において表裏のアンテナパターンの導通を確保可能なシート状のシート基板１０と、シート基板１０の表面に形成したアンテナパターン２０と、シート基板１０の裏面に形成したアンテナパターン３０とで構成されている。
本実施の形態ではかしめにより表裏のアンテナパターンの導通をとる。
【００１７】
アンテナパターン２０，３０については、それぞれの幅および長さが異なっている。また、アンテナパターン２０，３０は、シート基板１０の厚さ方向からみてそれらパターンの一部がほぼ３分の２以上重なり合うように形成されている。
また、アンテナパターン２０のうちシート基板１０の撓ませ部分１２に対応する箇所の幅が他の部分よりも狭くなっており、アンテナパターン３０のうちシート基板１０の撓ませ部分１２に対応する箇所の幅が他の部分よりも狭くなっている。
【００１８】
アンテナパターン２０の一端２２には、リードライタ装置（不図示）への信号線が、アンテナパターン３０の一端３２には、リードライタ装置への信号線がそれぞれ接続されている。なお、リードライタ装置としては、公知のリードライタ装置を用いることができる。
シート基板に設けられた２つの丸穴６０はリードライタ用アンテナ１００を筐体に取り付ける際の位置決め用であるが、シート基板１０の外周を基準にして取り付け位置を決めても良い。またリードライタ用アンテナ１００を筐体に熱かしめなどにより溶着すればネジなど金属材を用いずに取り付け可能となる。
【００１９】
図３は、リードライタ用アンテナ１００を表面からみたときの透視平面図である。
リードライタ用アンテナ１００のアンテナの共振周波数を調整する場合は、シート基板１０の厚さ方向からみてアンテナパターン２０，３０が重なり合っている部分の任意の箇所をカシメにより導通させることにより行う。すなわち、アンテナパターン２０，３０についてそれぞれの幅および長さが異なっているので、カシメ箇所によって、アンテナパターン２０の一端２２からカシメ箇所まで、およびカシメ箇所からアンテナパターン３０の一端３２までの長さが変化するので、アンテナの共振周波数を調整することができる。
【００２０】
図３に示すように、例えば、Ｐ１の点をカシメにより導通させた場合と、Ｐ２の点をカシメにより導通させた場合とでは、アンテナパターン２０の一端２２からカシメ箇所Ｐ１まで、およびカシメ箇所Ｐ１からアンテナパターン３０の一端３２までの長さと、アンテナパターン２０の一端２２からカシメ箇所Ｐ２まで、およびカシメ箇所Ｐ２からアンテナパターン３０の一端３２までの長さとが異なる。
【００２１】
図４は、リードライタ用アンテナ１００を筐体５０の内側コーナに貼り付けた場合を示す斜視図である。
リードライタ用アンテナ１００を筐体５０の内側コーナに貼り付ける場合は、図３に示すように、例えば、曲げ線４０を中心にリードライタ用アンテナ１００を撓ませ、図４に示すように、筐体５０の内側コーナに貼り付ける。このとき、シート基板１０が可撓性を有し、かつアンテナパターン２０，３０のうちシート基板１０の撓ませ部分１２に対応する箇所の幅が狭いので、リードライタ用アンテナ１００が撓ませやすい。
【００２２】
図５は、筐体５０の内側コーナおよびその周辺の断面図である。
また、図５に示すように、リードライタ用アンテナ１００を筐体５０の内側コーナに貼り付けた場合は、リードライタ用アンテナ１００を筐体５０内部に設ける場合に比して、リードライタ用アンテナ１００を筐体５０に密着させた分筐体５０表面からの作動距離を大きくすることができる。
【００２３】
このようにして、本実施の形態では、リードライタ用アンテナ１００は、カシメ可能なシート状のシート基板１０と、シート基板１０の表面に形成したアンテナパターン２０と、シート基板１０の裏面に形成したアンテナパターン３０とを備え、アンテナパターン２０，３０についてそれぞれの幅および長さを異ならせ、シート基板１０の厚さ方向からみてアンテナパターン２０，３０が重なり合うように、アンテナパターン２０，３０を形成した。
【００２４】
これにより、アンテナパターン２０，３０が重なり合っている部分の任意の箇所をカシメにより導通させてアンテナの共振周波数を調整することができるので、従来に比して、アンテナの共振周波数を比較的精密に調整することができる。また、筐体５０に貼り付けた状態によりアンテナの共振周波数は変位するので、アンテナ共振周波数が適するよう事前に変位するレベルを把握し、貼り付け前にその変位分だけずらした値に共振周波数を合わせる。
【００２５】
さらに、本実施の形態では、シート基板１０は、可撓性を有し、アンテナパターン２０，３０のうちシート基板１０の撓ませ部分１２に対応する箇所の幅を他の部分よりも狭くした。
これにより、従来に比して、リードライタ用アンテナ１００を筐体５０の内側コーナに比較的密着させて貼り付けることができる。筐体５０の内側コーナに密着させて貼り付けられれば、リードライタ用アンテナ１００を筐体５０内部に設ける場合に比して、筐体５０表面からの作動距離を大きくすることができる。
【００２６】
上記実施の形態において、ＲＦＩＤ非接触型ＩＣタグは、発明１の非接触通信媒体に対応し、アンテナパターン２０は、発明１または２の第１アンテナパターンに対応し、アンテナパターン３０は、発明１または２の第２アンテナパターンに対応している。
なお、上記実施の形態においては、本発明に係るＲＦＩＤアンテナを、図１に示すように、ＲＦＩＤ非接触型ＩＣタグの情報を書き換えるリードライタ装置のアンテナとして適用したが、これに限らず、本発明の主旨を逸脱しない範囲で他の場合にも適用可能である。
【図面の簡単な説明】
【図１】リードライタ用アンテナ１００の分解斜視図である。
【図２】リードライタ用アンテナ１００を表面からみたときの透視平面図である。
【図３】リードライタ用アンテナ１００を表面からみたときの透視平面図である。
【図４】リードライタ用アンテナ１００を筐体５０の内側コーナに貼り付けた場合を示す斜視図である。
【図５】筐体５０の内側コーナおよびその周辺の断面図である。
【符号の説明】
１００…リードライタ用アンテナ，１０…シート基板，１２…撓ませ部分，２０，３０…アンテナパターン，２２，２３…出力端子，５０…筐体
【図１】
2005020058.tif 000003
【図２】
2005020058.tif 000004
【図３】
2005020058.tif 000005
【図４】
2005020058.tif 000006
【図５】
2005020058.tif 000007